(57)【要約】      （修正有）【課題】小規模化を図ることが可能な表示ドライバ及び当該表示ドライバが形成されている半導体装置を提供する。【解決手段】γ補正データ抽出回路２１は、１水平走査期間Ｈ毎に、画像データ信号ＶＤＸ中から正極用のγ補正データＰＧR、ＰＧG又はＰＧBを抽出してγレジスタ２２に供給し、γレジスタ２２は保持したγ補正データを正極用のγ補正データＳＰとして、１水平走査期間Ｈに亘り階調電圧変換部１３２に送出する。階調電圧変換部１３２の基準階調電圧生成回路３２は、γ補正データＳＰに基づくγ特性を有する基準階調電圧Ｙ１〜Ｙ２５６を生成してＤＡ変換回路３４に供給し、ガンマ補正データに基づくガンマ特性で映像信号の輝度レベルを階調電圧に変換する。【選択図】図４
2017223928.tif 000002
【特許請求の範囲】
【請求項１】
複数の表示セルを有する表示デバイスに、映像信号にて示される前記表示セル毎の輝度レベルに対応した階調電圧を供給する表示ドライバであって、
ガンマ補正値を表す複数のガンマ補正データ片を所定期間毎に１つずつ送出するガンマ補正データ送出部と、
前記ガンマ補正データ送出部から送出された前記ガンマ補正データ片にて表される前記ガンマ補正値に基づくガンマ特性にて、前記輝度レベルを前記階調電圧に変換する階調電圧変換部と、を有することを特徴とする表示ドライバ。
【請求項２】
前記所定期間は、前記映像信号における水平走査期間であることを特徴とする請求項１記載の表示ドライバ。
【請求項３】
前記複数のガンマ補正データ片は、赤色成分に対するガンマ補正値を表す第１のガンマ補正データ片と、緑色成分に対するガンマ補正値を表す第２のガンマ補正データ片と、青色成分に対するガンマ補正値を表す第３のガンマ補正データ片と、からなることを特徴とする請求項１又は２記載の表示ドライバ。
【請求項４】
前記表示デバイスには、赤色表示を行う複数の前記表示セルが並置されている水平表示ラインと、緑色表示を行う複数の前記表示セルが並置されている水平表示ラインと、青色表示を行う複数の前記表示セルが並置されている水平表示ラインと、が周期的に配置されていることを特徴とする請求項１〜３のいずれか１に記載の表示ドライバ。
【請求項５】
前記ガンマ補正データ送出部は、
前記映像信号にて示される前記表示セル毎の前記輝度レベルを表す表示データ片の系列が水平走査期間毎に区分けして配列されていると共に、前記複数のガンマ補正データ片が１つずつ水平走査期間毎に配列されている画像データ信号を生成する制御部と、
前記画像データ信号中から水平走査期間毎に前記ガンマ補正データ片を順に抽出するガンマ補正データ抽出部と、
前記ガンマ補正データ抽出部で抽出された前記ガンマ補正データ片を保持しつつ前記階調電圧変換部に送出するガンマレジスタと、を含むことを特徴とする請求項１〜４のいずれか１に記載の表示ドライバ。
【請求項６】
前記画像データ信号に含まれる前記表示データ片の系列を水平走査期間毎に取り込んで複数の表示データ片を取得するデータ取込部を含み、
前記階調電圧変換部は、前記ガンマレジスタから送出された前記ガンマ補正データ片にて表される前記ガンマ補正値に基づくガンマ特性にて、前記複数の表示データ片各々が示す前記輝度レベルを前記階調電圧に変換することを特徴とする請求項５に記載の表示ドライバ。
【請求項７】
前記ガンマ補正データ送出部は、
前記映像信号にて示される前記表示セル毎の前記輝度レベルを表す表示データ片の系列が水平走査期間毎に区分けして配列されていると共に、前記複数のガンマ補正データ片が各垂直走査期間の先頭部に配列されている画像データ信号を生成する制御部と、
前記画像データ信号中から垂直走査期間毎に前記複数のガンマ補正データ片を抽出するガンマ補正データ抽出部と、
前記ガンマ補正データ抽出部で抽出された前記複数のガンマ補正データ片を夫々個別に保持する複数のガンマレジスタと、
前記複数のガンマレジスタの各々に保持されている前記ガンマ補正データ片を水平走査期間毎に１つずつ順に選択し、選択した前記ガンマ補正データ片を前記階調電圧変換部に送出するセレクタと、を含むことを特徴とする請求項１〜４のいずれか１に記載の表示ドライバ。
【請求項８】
前記画像データ信号に含まれる前記表示データ片の系列を水平走査期間毎に取り込んで複数の表示データ片を取得するデータ取込部を含み、
前記階調電圧変換部は、前記セレクタから送出された前記ガンマ補正データ片にて表される前記ガンマ補正値に基づくガンマ特性にて、前記複数の表示データ片各々が示す前記輝度レベルを前記階調電圧に変換することを特徴とする請求項７に記載の表示ドライバ。
【請求項９】
複数の表示セルを有する表示デバイスに、映像信号にて示される前記表示セル毎の輝度レベルに対応した階調電圧を供給する表示ドライバが形成されている半導体装置であって、
前記表示ドライバは、
ガンマ補正値を表す複数のガンマ補正データ片を所定期間毎に１つずつ送出するガンマ補正データ送出部と、
前記ガンマ補正データ送出部から送出された前記ガンマ補正データ片にて表される前記ガンマ補正値に基づくガンマ特性にて、前記輝度レベルを前記階調電圧に変換する階調電圧変換部と、を有することを特徴とする半導体装置。
【請求項１０】
前記表示デバイスは、夫々が画面の水平方向に伸張する第１〜第ｍ（ｍは２以上の整数）の水平表示ラインと、夫々が画面の垂直方向に伸張しており前記第１〜第ｍの水平表示ラインと交叉する第１〜第ｎ（ｎは２以上の整数）のデータラインと、を含み、前記第１〜第ｍの水平表示ラインと前記第１〜第ｎのデータラインとの各交叉部に前記表示セルが形成されており、
前記表示ドライバは、
前記第１〜第ｎのデータラインの各々に順次、択一的に走査パルスを供給する走査ドライバと、
前記階調電圧変換部を含み、前記第１〜第ｎのデータラインの各々に形成されているｍ個の前記表示セルに夫々対応した第１〜第ｍの前記階調電圧を前記走査パルスに同期したタイミングで前記第１〜第ｍの水平表示ラインに供給するデータドライバと、を含むことを特徴とする請求項１記載の表示ドライバ。
【請求項１１】
前記第１〜第ｎのデータラインの各々には、互いに同一の色表示を行うｍ個の前記表示セルが形成されていることを特徴とする請求項１０記載の表示ドライバ。
【請求項１２】
前記ガンマ補正データ送出部は、
前記映像信号にて示される前記表示セル毎の輝度レベルを表す表示データ片がｍ個ずつ、前記所定期間毎に配列されていると共に、前記複数のガンマ補正データ片が１つずつ前記所定期間毎に配列されている画像データ信号を生成する制御部と、
前記画像データ信号中から前記所定期間毎に前記ガンマ補正データ片を順に抽出するガンマ補正データ抽出部と、
前記ガンマ補正データ抽出部で抽出された前記ガンマ補正データ片を保持しつつ前記階調電圧変換部に送出するガンマレジスタと、を含むことを特徴とする請求項１１又は１２に記載の表示ドライバ。
【請求項１３】
前記表示デバイスは、夫々が画面の水平方向に伸張する第１〜第ｍ（ｍは２以上の整数）の水平表示ラインと、夫々が画面の垂直方向に伸張しており前記第１〜第ｍの水平表示ラインと交叉する第１〜第ｎ（ｎは２以上の整数）のデータラインと、を含み、前記第１〜第ｍの水平表示ラインと前記第１〜第ｎのデータラインとの各交叉部に前記表示セルが形成されており、
前記表示ドライバは、
前記第１〜第ｎのデータラインの各々に順次、択一的に走査パルスを供給する走査ドライバと、
前記階調電圧変換部を含み、前記第１〜第ｎのデータラインの各々に形成されているｍ個の前記表示セルに夫々対応した第１〜第ｍの前記階調電圧を前記走査パルスに同期したタイミングで前記第１〜第ｍの水平表示ラインに供給するデータドライバと、を含む
ことを特徴とする請求項９記載の半導体装置。
【請求項１４】
前記第１〜第ｎのデータラインの各々には、互いに同一の色表示を行うｍ個の前記表示セルが形成されていることを特徴とする請求項１３記載の半導体装置。
【請求項１５】
前記ガンマ補正データ送出部は、
前記映像信号にて示される前記表示セル毎の輝度レベルを表す表示データ片がｍ個ずつ、前記所定期間毎に配列されていると共に、前記複数のガンマ補正データ片が１つずつ前記所定期間毎に配列されている画像データ信号を生成する制御部と、
前記画像データ信号中から前記所定期間毎に前記ガンマ補正データ片を順に抽出するガンマ補正データ抽出部と、
前記ガンマ補正データ抽出部で抽出された前記ガンマ補正データ片を保持しつつ前記階調電圧変換部に送出するガンマレジスタと、を含むことを特徴とする請求項１３又は１４に記載の半導体装置。
【発明の詳細な説明】
【技術分野】
【０００１】
本発明は、表示パネルを駆動する表示ドライバ及び当該表示ドライバが形成されている半導体装置に関する。
【背景技術】
【０００２】
液晶表示パネル又は有機ＥＬ表示パネル等の表示パネルを駆動する表示ドライバは、入力映像信号によって表される誤差毎の輝度レベルに対応した階調電圧を生成し、この階調電圧を画素駆動電圧として表示パネルのソースラインの各々に印加する。尚、表示ドライバでは、赤色、緑色、青色毎に、入力映像信号によって表される輝度と、実際に表示パネルで表示される輝度との対応関係を補正するガンマ補正が行われる。
【０００３】
かかるガンマ補正を行う表示ドライバとして、ガンマ補正を行うための設定値が色（赤、緑、青）毎に格納されている３系統分のレジスタを含み、当該レジスタに格納されている設定値に基づく特性に従って表示データを、色（赤、緑、青）毎に階調電圧に変換する３系統分の階調電圧生成回路を含むものが提案されている（例えば、特許文献１参照）。
【先行技術文献】
【特許文献】
【０００４】
【特許文献１】特開２０１２−１３７７８３号公報
【発明の概要】
【発明が解決しようとする課題】
【０００５】
ところで、階調電圧生成回路は、上記したレジスタの他に、当該レジスタに格納されている設定値に従って各階調に対応した基準階調電圧を生成するラダー抵抗と、その電圧を出力する為のアンプとを含んでいる。
【０００６】
従って、表示ドライバには、各色に対応した３系統分の階調電圧生成回路（レジスタ、ラダー抵抗及びアンプを含む）を設ける必要がある為、階調電圧生成回路が占有するチップ面積が大きくなり、その分だけ表示ドライバの規模が大きくなるという問題があった。
【０００７】
そこで、本発明は、小規模化を図ることが可能な表示ドライバ及び当該表示ドライバが形成されている半導体装置を提供することを目的とする。
【課題を解決するための手段】
【０００８】
本発明に係る表示ドライバは、複数の表示セルを有する表示デバイスに、映像信号にて示される前記表示セル毎の輝度レベルに対応した階調電圧を供給する表示ドライバであって、ガンマ補正値を表す複数のガンマ補正データ片を所定期間毎に１つずつ送出するガンマ補正データ送出部と、前記ガンマ補正データ送出部から送出された前記ガンマ補正データ片にて表される前記ガンマ補正値に基づくガンマ特性にて、前記輝度レベルを前記階調電圧に変換する階調電圧変換部と、を有する。
【０００９】
本発明に係る半導体装置は、複数の表示セルを有する表示デバイスに、映像信号にて示される前記表示セル毎の輝度レベルに対応した階調電圧を供給する表示ドライバが形成されている半導体装置であって、前記表示ドライバは、ガンマ補正値を表す複数のガンマ補正データ片を所定期間毎に１つずつ送出するガンマ補正データ送出部と、前記ガンマ補正データ送出部から送出された前記ガンマ補正データ片にて表される前記ガンマ補正値に基づくガンマ特性にて、前記輝度レベルを前記階調電圧に変換する階調電圧変換部と、を有する
【発明の効果】
【００１０】
本発明においては、複数のガンマ補正データ片を所定期間毎に１つずつ送出するガンマ補正データ送出部を表示ドライバに設け、階調電圧変換部が、当該ガンマ補正データ送出部から送出されたガンマ補正データ片に基づくガンマ特性にて、映像信号にて示される輝度レベルを階調電圧に変換するようにしている。
【００１１】
かかる構成によれば、ガンマ特性の種類の数に拘わらず、表示ドライバ内に階調電圧変換部を１系統分だけ設ければ良いので、例えば赤色、緑色、青色の各色に対応した３種類のガンマ特性毎に、そのガンマ特性で輝度レベルを階調電圧に変換する３系統分の階調電圧変換部を設けた構成に比して、回路規模を縮小化することが可能となる。
【図面の簡単な説明】
【００１２】
【図１】本発明に係る表示ドライバを含む表示装置１００の概略構成を示すブロック図である。
【図２】画像データ信号ＶＤＸのフォーマットの一例、及び階調電圧変換部１３２の内部動作の一例を示すタイムチャートである。
【図３】データドライバ１３の内部構成を示すブロック図である。
【図４】γ補正データ送出部１３０及び階調電圧変換部１３２の内部構成を示すブロック図である。
【図５】基準階調電圧生成回路３２（３３）の内部構成の一例を示す回路図である。
【図６】画像データ信号ＶＤＸのフォーマットの他の一例、及び基準階調電圧生成回路３２（３３）に含まれるγレジスタ及びセレクタの動作を示すタイムチャートである。
【図７】γ補正データ送出部１３０の内部構成の他の一例を示す回路図である。
【図８】本発明に係る表示ドライバを含む表示装置１００の他の構成を示すブロック図である。
【図９】図８に示す表示装置１００における画像データ信号ＶＤＸのフォーマットの一例、及び階調電圧変換部１３２Ａの内部動作の一例を示すタイムチャートである。
【図１０】走査パルスＤＳＰのデータラインＤ1〜Ｄmへの印加タイミングの一例を示すタイムチャートである。
【図１１】データドライバ１３Ａの内部構成を示すブロック図である。
【図１２】γ補正データ送出部１３０Ａ及び階調電圧変換部１３２Ａの内部構成を示すブロック図である。
【発明を実施するための形態】
【００１３】
以下、本発明の実施例を図面を参照しつつ詳細に説明する。
【００１４】
図１は、本発明に係る表示ドライバを含む表示装置１００の概略構成を示すブロック図である。図１において、表示デバイス２０は、例えば液晶表示パネルからなり、２次元画面の水平方向に伸張するｍ個（ｍは２以上の自然数）の水平表示ラインＳ1〜Ｓmと、２次元画面の垂直方向に伸張するｎ個（ｎは２以上の偶数）のデータラインＤ1〜Ｄnとを有する。水平表示ライン及びデータラインの各交叉部には、赤色表示を行う表示セルＣR、緑色表示を行う表示セルＣG、又は青色表示を行う表示セルＣBが形成されている。
【００１５】
尚、表示デバイス２０は、図１に示すように、水平表示ラインＳ1とデータラインＤ1〜Ｄnとの各交叉部に表示セルＣRが形成されており、水平表示ラインＳ2とデータラインＤ1〜Ｄnとの各交叉部には表示セルＣGが形成されており、水平表示ラインＳ3とデータラインＤ1〜Ｄnとの各交叉部には表示セルＣBが形成されている。また、水平表示ラインＳ4とデータラインＤ1〜Ｄnとの各交叉部には表示セルＣRが形成されており、水平表示ラインＳ5とデータラインＤ1〜Ｄnとの各交叉部には表示セルＣGが形成されており、水平表示ラインＳ6とデータラインＤ1〜Ｄnとの各交叉部には表示セルＣBが形成されている。
【００１６】
すなわち、水平表示ラインＳ(3r-2)（ｒは自然数）は赤色表示を行うｎ個の表示セルＣRが並置されている赤色表示ラインであり、水平表示ラインＳ(3r-1)は緑色表示を行うｎ個の表示セルＣGが並置されている緑色表示ラインであり、水平表示ラインＳ(3r)は青色表示を行うｎ個の表示セルＣBが並置されている青色表示ラインである。
【００１７】
駆動制御部１１は、映像信号ＶＤに基づき図２に示すフォーマットを有する画像データ信号ＶＤＸを生成する。
【００１８】
すなわち、駆動制御部１１は、先ず、映像信号ＶＤに基づき各表示セル（ＣR、ＣG、ＣB）の輝度レベルを例えば８ビットの２５６段階の輝度階調で表す表示データＰＤを得る。次に、駆動制御部１１は、互いに隣接する３つの水平表示ラインＳ毎に、その３つの水平表示ラインに対応した３・ｎ個の表示データＰＤを、同一色毎にグループ化する。つまり、駆動制御部１１は、３・ｎ個の表示データＰＤを、赤色の表示セルＣRに対応した表示データＰＤ1〜ＰＤnを含む表示データ系列ＬＤRと、緑色の表示セルＣGに対応した表示データＰＤ1〜ＰＤnを含む表示データ系列ＬＤGと、青色の表示セルＣBに対応した表示データＰＤ1〜ＰＤnを含む表示データ系列ＬＤBとにグループ化する。
【００１９】
そして、駆動制御部１１は、図２に示すように、赤色に対応した表示データ系列ＬＤRを第（３ｒ−２）番目の水平走査期間Ｈ、緑色に対応した表示データ系列ＬＤGを第（３ｒ−１）番目の水平走査期間Ｈ、青色に対応した表示データ系列ＬＤBを第（３ｒ）番目の水平走査期間Ｈに夫々配列した画像データ信号ＶＤＸを生成する。更に、駆動制御部１１は、画像データ信号ＶＤＸにおける水平走査期間Ｈ毎に、その表示データ系列（ＬＤR、ＬＤG、ＬＤB）に基づく表示を行う際に用いるγ補正データを配列する。
【００２０】
つまり、図２に示すように、画像データ信号ＶＤＸにおいて表示データ系列ＬＤRが配列されている水平走査期間Ｈ内には、夫々が赤色成分に対するγ補正値を表す正極用のγ補正データＰＧR及び負極用のγ補正データＮＧRが配列されている。また、画像データ信号ＶＤＸにおける表示データ系列ＬＤGが配列されている水平走査期間Ｈ内には、夫々が緑色成分に対するγ補正値を表す正極用のγ補正データＰＧG及び負極用のγ補正データＮＧGが配列されている。また、画像データ信号ＶＤＸにおける表示データ系列ＬＤBが配列されている水平走査期間Ｈ内には、夫々が緑色成分に対するγ補正値を表す正極用のγ補正データＰＧB及び負極用のγ補正データＮＧBが配列されている。尚、γ補正データ（ＰＧR、ＮＧR、ＰＧG、ＮＧG、ＰＧB、ＮＧB）は、表示データＰＤを階調電圧に変換する際に用いるγ補正値に対応した情報を表す。具体的には、γ補正データは、ラダー抵抗（後述する）における抵抗同士の接続点（以下、出力タップと称する）のうちから、そのγ補正値に対応した変換が為される複数の出力タップ、例えば５つの出力タップを指定する情報を表している。
【００２１】
駆動制御部１１は、上記のように生成した画像データ信号ＶＤＸをデータドライバ１３に供給する。更に、駆動制御部１１は、映像信号ＶＤ中から水平同期信号を検出する度に水平同期検出信号を走査ドライバ１２に供給する。
【００２２】
走査ドライバ１２は、かかる水平同期検出信号に同期したタイミングで、走査パルスを表示デバイス２０の水平表示ラインＳ1〜Ｓmの各々に順次印加する。
【００２３】
データドライバ１３は、半導体ＩＣ（integrated circuit）チップに形成されている。
【００２４】
図３は、データドライバ１３の内部構成を示すブロック図である。図３に示すように、データドライバ１３は、γ補正データ送出部１３０、データ取込部１３１、階調電圧変換部１３２、及び出力部１３３を有する。
【００２５】
γ補正データ送出部１３０は、画像データ信号ＶＤＸ中から正極用のγ補正データＰＧR、ＰＧG又はＰＧBを抽出し、抽出した正極用のγ補正データをγ補正データＳＰとして階調電圧変換部１３２に供給する。また、γ補正データ送出部１３０は、画像データ信号ＶＤＸ中から負極用のγ補正データＮＧR、ＮＧG又はＮＧBを抽出し、抽出した負極用のγ補正データをγ補正データＳＮとして階調電圧変換部１３２に供給する。
【００２６】
データ取込部１３１は、１水平走査期間Ｈ毎に、画像データ信号ＶＤＸ中から、表示データの系列（ＬＤR、ＬＤG、ＬＤB）を為す表示データＰＤ1〜ＰＤnを順次取り込み、これらｎ個の表示データＰＤ1〜ＰＤnを表示データＱ1〜Ｑnとして階調電圧変換部１３２に供給する。
【００２７】
階調電圧変換部１３２は、画像データ信号ＶＤＸに含まれる正極用のγ補正データ（ＰＧR、ＰＧG、ＰＧB）に従った変換特性にて、表示データＱ1〜Ｑnの各々をアナログの正極性の階調電圧Ｐ1〜Ｐnに変換する。更に、階調電圧変換部１３２は、画像データ信号ＶＤＸに含まれる負極用のγ補正データ（ＮＧR、ＮＧG、ＮＧB）に従った変換特性にて、表示データＱ1〜Ｑnの各々をアナログの負極性の階調電圧Ｎ1〜Ｎnに変換する。そして、階調電圧変換部１３２は、階調電圧Ｐ1〜Ｐn及びＮ1〜Ｎnを出力部１３３に供給する。
【００２８】
出力部１３３は、正極性の階調電圧Ｐ1〜Ｐnと、負極性の階調電圧Ｎ1〜Ｎnとを所定の周期にて交互に選択し、選択した方を階調電圧Ｇ1〜Ｇnとして表示デバイス２０のデータラインＤ1〜Ｄnに供給する。
【００２９】
図４は、γ補正データ送出部１３０及び階調電圧変換部１３２各々の内部構成の一例を示すブロック図である。図４に示すように、γ補正データ送出部１３０は、γ補正データ抽出回路２１、γレジスタ２２、γ補正データ抽出回路２３、及びγレジスタ２４を含む。
【００３０】
γ補正データ抽出回路２１は、１水平走査期間Ｈ毎に、画像データ信号ＶＤＸ中から正極用のγ補正データＰＧR、ＰＧG又はＰＧBを抽出し、抽出したγ補正データＰＧR、ＰＧG又はＰＧBをγレジスタ２２に供給する。γレジスタ２２は、γ補正データ抽出回路２１から供給されたγ補正データＰＧR、ＰＧG又はＰＧBを上書きしてこれを保持する。γレジスタ２２は、γ補正データＰＧR、ＰＧG及びＰＧBのうちで、上記のように保持した１のγ補正データを正極用のγ補正データＳＰとして、１水平走査期間Ｈに亘り階調電圧変換部１３２に送出する。
【００３１】
γ補正データ抽出回路２３は、１水平走査期間Ｈ毎に、画像データ信号ＶＤＸ中から負極用のγ補正データＮＧR、ＮＧG又はＮＧBを抽出し、抽出したγ補正データＮＧR、ＮＧG又はＮＧBをγレジスタ２４に供給する。γレジスタ２４は、γ補正データ抽出回路２３から供給されたγ補正データＮＧR、ＮＧG又はＮＧBを上書きしてこれを保持する。γレジスタ２４は、γ補正データＮＧR、ＮＧG及びＮＧBのうちで、上記のように保持した１のγ補正データを負極用のγ補正データＳＮとして、１水平走査期間Ｈに亘り階調電圧変換部１３２に供給する。
【００３２】
上記した構成により、γ補正データ送出部１３０は、ガンマ補正データ片ＰＧR、ＰＧG、及びＰＧBを水平走査期間Ｈ毎に１つずつ階調電圧変換部１３２に送出する。また、γ補正データ送出部１３０は、ガンマ補正データ片ＮＧR、ＮＧG、及びＮＧBを水平走査期間Ｈ毎に１つずつ階調電圧変換部１３２に送出する。
【００３３】
階調電圧変換部１３２は、基準階調電圧生成回路３２及び３３、ＤＡ変換回路３４及び３５を含む。
【００３４】
基準階調電圧生成回路３２及び３３は共に、電圧設定端子Ｔ１〜Ｔ３と、２５６階調に夫々対応した基準階調電圧を出力する為の出力端子Ｕ１〜Ｕ２５６とを有する。
【００３５】
基準階調電圧生成回路３２は、自身の電圧設定端子Ｔ１〜Ｔ３を介して、以下のような電圧値の大小関係を有する設定電圧ＶＧ１〜ＶＧ３の供給を受ける。
【００３６】
ＶＧ１＞ＶＧ２＞ＶＧ３
基準階調電圧生成回路３２は、設定電圧ＶＧ１〜ＶＧ３に基づき、互いに電圧値が異なる２５６階調分の正極性の基準階調電圧Ｙ１〜Ｙ２５６を生成し、夫々をＤＡ変換回路３４に供給する。
【００３７】
基準階調電圧生成回路３３は、自身の電圧設定端子Ｔ１〜Ｔ３を介して、以下のような電圧値の大小関係を有する設定電圧ＶＧ３〜ＶＧ５の供給を受ける。
【００３８】
ＶＧ３＞ＶＧ４＞ＶＧ５
基準階調電圧生成回路３３は、設定電圧ＶＧ３〜ＶＧ５に基づき、互いに電圧値が異なる２５６階調分の負極性の基準階調電圧Ｘ１〜Ｘ２５６を生成し、夫々をＤＡ変換回路３５に供給する。
【００３９】
ＤＡ変換回路３４は、データ取込部１３１から供給された表示データＱ1〜Ｑnの各々毎に、その表示データＱにて示される輝度階調に対応した基準階調電圧を、正極性の基準階調電圧Ｙ１〜Ｙ２５６のうちから選択する。そして、ＤＡ変換回路３４は、表示データＱ1〜Ｑnの各々に対して上記のように選択した階調電圧Ｙの各々を、正極性の階調電圧Ｐ1〜Ｐnとして出力する。
【００４０】
ＤＡ変換回路３５は、データ取込部１３１から供給された表示データＱ1〜Ｑnの各々毎に、その表示データＱにて示される輝度階調に対応した基準階調電圧を、負極性の基準階調電圧Ｘ１〜Ｘ２５６のうちから選択する。そして、ＤＡ変換回路３５は、表示データＱ1〜Ｑnの各々に対して上記のように選択した階調電圧Ｘの各々を、負極性の階調電圧Ｎ1〜Ｎnとして出力する。
【００４１】
図５は、基準階調電圧生成回路３２及び３３各々の内部構成を示す回路図である。尚、基準階調電圧生成回路３２及び３３は互いに同一の回路構成を有し、各々が、入力アンプＡＭＰ１及びＡＭＰ２、第１のラダー抵抗（ＲＤ０〜ＲＤ１６０）、γ特性調整回路ＳＸ、出力アンプＡＰ０〜ＡＰ６、及び第２のラダー抵抗（Ｒ０〜Ｒ２５４）を含む。
【００４２】
第１のラダー抵抗は、直列接続された抵抗ＲＤ０〜ＲＤ１６０を有し、これら抵抗ＲＤ０〜ＲＤ１６０における抵抗同士の接続点である出力タップａ１〜ａ１６０がγ特性調整回路ＳＸに接続されている。なお、出力タップａ１〜ａ１６０のうちの中間の出力タップａ８１には、電圧設定端子Ｔ２が接続されている。
【００４３】
入力アンプＡＭＰ１は、電圧設定端子Ｔ１で受けた電圧を利得１で増幅した電圧をラインＬ０を介して、第１のラダー抵抗の先頭の抵抗ＲＤ０の一端、及び出力アンプＡＰ０に供給する。入力アンプＡＭＰ２は、電圧設定端子Ｔ３で受けた電圧を利得１で増幅した電圧をラインＬ６を介して、第１のラダー抵抗の後尾の抵抗ＲＤ１６０の一端、及び出力アンプＡＰ６に供給する。
【００４４】
γ特性調整回路ＳＸは、γ補正データ送出部１３０から供給されたγ補正データＳＰ（ＳＮ）によって示されるγ補正値に対応した５つの出力タップ、つまり第１のラダー抵抗の出力タップａ１〜ａ１６０のうちの５つの出力タップを、夫々ラインＬ１〜Ｌ５に接続する。尚、ラインＬ１は出力アンプＡＰ１の入力端子に接続されており、ラインＬ２は出力アンプＡＰ２の入力端子に供給されている。更に、ラインＬ３は出力アンプＡＰ３の入力端子に供給されており、ラインＬ４は出力アンプＡＰ４の入力端子に供給されており、ラインＬ５は出力アンプＡＰ５の入力端子に供給されている。例えば、γ特性調整回路ＳＸは、γ補正データＳＰ（ＳＮ）によって示されるγ補正値に対応した５つの出力タップのうちの第１の出力タップをラインＬ１に接続し、第２の出力タップをラインＬ２に接続し、第３の出力タップをラインＬ３に接続する。更に、γ特性調整回路ＳＸは、γ補正データによって示されるγ補正値に対応した５つの出力タップのうちの第４の出力タップをラインＬ４に接続し、第５の出力タップをラインＬ５に接続する。
【００４５】
第２のラダー抵抗は、直列接続された抵抗Ｒ０〜Ｒ２５４を有し、これら抵抗Ｒ０〜Ｒ２５４のうちの先頭の抵抗Ｒ０の一端に出力端子Ｕ１が接続されており、後尾の抵抗Ｒ２５４の一端に出力端子Ｕ２５６が接続されている。更に、直列接続された抵抗Ｒ０〜Ｒ２５４における抵抗同士の接続点に、図５に示すように出力端子Ｕ２〜Ｕ２５５が夫々接続されている。
【００４６】
出力アンプＡＰ０は、ラインＬ０の電圧を利得１で増幅した電圧を抵抗Ｒ０の一端及び出力端子Ｕ１に供給する。出力アンプＡＰ１は、ラインＬ１の電圧を利得１で増幅した電圧を、抵抗Ｒ０及びＲ１同士の接続点、及び出力端子Ｕ２に供給する。出力アンプＡＰ２は、ラインＬ２の電圧を利得１で増幅した電圧を、抵抗Ｒ３０及びＲ３１同士の接続点、及び出力端子Ｕ３１に供給する。出力アンプＡＰ３は、ラインＬ３の電圧を利得１で増幅した電圧を、抵抗Ｒ１２６及びＲ１２７同士の接続点、及び出力端子Ｕ１２７に供給する。出力アンプＡＰ４は、ラインＬ４の電圧を利得１で増幅した電圧を、抵抗Ｒ２１４及びＲ２１５同士の接続点、及び出力端子Ｕ２１５に供給する。出力アンプＡＰ５は、ラインＬ５の電圧を利得１で増幅した電圧を、抵抗Ｒ２５３及びＲ２５４同士の接続点、及び出力端子Ｕ２５５に供給する。出力アンプＡＰ６は、ラインＬ６の電圧を利得１で増幅した電圧を抵抗Ｒ２５４の一端及び出力端子Ｕ２５６に供給する。
【００４７】
図５に示す構成により、基準階調電圧生成回路３２（３３）は、γ補正データ送出部１３０から供給されたγ補正データＳＰ（ＳＮ）に基づくγ特性を有する基準階調電圧Ｙ１〜Ｙ２５６（Ｘ１〜Ｘ２５６）を生成し、これらを出力端子Ｕ１〜Ｕ２５６を介してＤＡ変換回路３４（３５）に供給する。
【００４８】
以下に、図４及び図５に示される構成による動作について、図２を参照しつつ説明する。
【００４９】
先ず、図２に示す画像データ信号ＶＤＸ中の表示データ系列ＬＤRが配列されている１水平走査区間ＣＹ１において、γ補正データ送出部１３０のγ補正データ抽出回路２１は、その先頭部に配列されている正極用のγ補正データＰＧRを当該画像データ信号ＶＤＸから抽出し、これをγレジスタ２２に供給する。また、当該１水平走査区間ＣＹ１において、γ補正データ送出部１３０のγ補正データ抽出回路２３は、その先頭部に配列されている負極用のγ補正データＮＧRを当該画像データ信号ＶＤＸから抽出し、これをγレジスタ２４に供給する。これにより、γレジスタ２２は、当該γ補正データＰＧRを保持しつつこれを、図２に示すようにγ補正データＳＰとして基準階調電圧生成回路３２のγ特性調整回路ＳＸに供給する。また、γレジスタ２４は、γ補正データＮＧRを保持しつつこれを、図２に示すようにγ補正データＳＮとして基準階調電圧生成回路３３のγ特性調整回路ＳＸに供給する。
【００５０】
これにより、基準階調電圧生成回路３２は、γ補正データＰＧRに基づくγ特性を有する基準階調電圧Ｙ１〜Ｙ２５６を生成し、これらをＤＡ変換回路３４に供給する。また、基準階調電圧生成回路３３は、γ補正データＮＧRに基づくγ特性を有する基準階調電圧Ｘ１〜Ｘ２５６を生成し、これらをＤＡ変換回路３５に供給する。よって、ＤＡ変換回路３４は、上記した表示データ系列ＬＤRに対応した表示データＱ1〜Ｑnの各々を、γ補正データＰＧRに基づくγ特性を有する基準階調電圧Ｙ１〜Ｙ２５６に基づき、アナログの正極性の階調電圧Ｐ1〜Ｐnに変換する。また、ＤＡ変換回路３５は、上記した表示データ系列ＬＤRに対応した表示データＱ1〜Ｑnの各々を、γ補正データＮＧRに基づくγ特性を有する基準階調電圧Ｘ１〜Ｘ２５６に基づき、アナログの負極性の階調電圧Ｎ1〜Ｎnに変換する。
【００５１】
次に、図２に示す画像データ信号ＶＤＸ中の表示データ系列ＬＤGが配列されている１水平走査区間ＣＹ２において、γ補正データ抽出回路２１は、その先頭部に配列されている正極用のγ補正データＰＧGを当該画像データ信号ＶＤＸから抽出し、これをγレジスタ２２に供給する。また、当該１水平走査区間ＣＹ２において、γ補正データ抽出回路２３は、その先頭部に配列されている負極用のγ補正データＮＧGを当該画像データ信号ＶＤＸから抽出し、これをγレジスタ２４に供給する。これにより、γレジスタ２２は、当該γ補正データＰＧGを上書きして保持しつつこれを、図２に示すようにγ補正データＳＰとして基準階調電圧生成回路３２のγ特性調整回路ＳＸに供給する。また、γレジスタ２４は、γ補正データＮＧGを上書きして保持しつつこれを、図２に示すようにγ補正データＳＮとして基準階調電圧生成回路３３のγ特性調整回路ＳＸに供給する。
【００５２】
これにより、基準階調電圧生成回路３２は、γ補正データＰＧGに基づくγ特性を有する基準階調電圧Ｙ１〜Ｙ２５６を生成し、これらをＤＡ変換回路３４に供給する。また、基準階調電圧生成回路３３は、γ補正データＮＧGに基づくγ特性を有する基準階調電圧Ｘ１〜Ｘ２５６を生成し、これらをＤＡ変換回路３５に供給する。よって、ＤＡ変換回路３４は、上記した表示データ系列ＬＤGに対応した表示データＱ1〜Ｑnの各々を、γ補正データＰＧGに基づくγ特性を有する基準階調電圧Ｙ１〜Ｙ２５６に基づき、アナログの正極性の階調電圧Ｐ1〜Ｐnに変換する。また、ＤＡ変換回路３５は、上記した表示データ系列ＬＤGに対応した表示データＱ1〜Ｑnの各々を、γ補正データＮＧGに基づくγ特性を有する基準階調電圧Ｘ１〜Ｘ２５６に基づき、アナログの負極性の階調電圧Ｎ1〜Ｎnに変換する。
【００５３】
次に、図２に示す画像データ信号ＶＤＸ中の表示データ系列ＬＤBが配列されている１水平走査区間ＣＹ３において、γ補正データ抽出回路２１は、その先頭部に配列されている正極用のγ補正データＰＧBを当該画像データ信号ＶＤＸから抽出し、これをγレジスタ２２に供給する。また、当該１水平走査区間ＣＹ３において、γ補正データ抽出回路２３は、その先頭部に配列されている負極用のγ補正データＮＧBを当該画像データ信号ＶＤＸから抽出し、これをγレジスタ２４に供給する。これにより、γレジスタ２２は、当該γ補正データＰＧBを上書きして保持しつつこれを、図２に示すようにγ補正データＳＰとして基準階調電圧生成回路３２のγ特性調整回路ＳＸに供給する。また、γレジスタ２４は、γ補正データＮＧBを上書きして保持しつつこれを、図２に示すようにγ補正データＳＮとして基準階調電圧生成回路３３のγ特性調整回路ＳＸに供給する。
【００５４】
これにより、基準階調電圧生成回路３２は、γ補正データＰＧBに基づくγ特性を有する基準階調電圧Ｙ１〜Ｙ２５６を生成し、これらをＤＡ変換回路３４に供給する。また、基準階調電圧生成回路３３は、γ補正データＮＧBに基づくγ特性を有する基準階調電圧Ｘ１〜Ｘ２５６を生成し、これらをＤＡ変換回路３５に供給する。よって、ＤＡ変換回路３４は、上記した表示データ系列ＬＤBに対応した表示データＱ1〜Ｑnの各々を、γ補正データＰＧBに基づくγ特性を有する基準階調電圧Ｙ１〜Ｙ２５６に基づき、アナログの正極性の階調電圧Ｐ1〜Ｐnに変換する。また、ＤＡ変換回路３５は、上記した表示データ系列ＬＤBに対応した表示データＱ1〜Ｑnの各々を、γ補正データＮＧBに基づくγ特性を有する基準階調電圧Ｘ１〜Ｘ２５６に基づき、アナログの負極性の階調電圧Ｎ1〜Ｎnに変換する。
【００５５】
このように、表示装置１００では、駆動制御部１１が、図２に示すように１水平走査期間Ｈ毎に、１水平表示ライン分の表示データＰＤ1〜ＰＤnと共に、この表示データＰＤ1〜ＰＤを正極性及び負極性の階調電圧に夫々変換する際に用いるγ補正データＰＧ及びＮＧと、が配列されている画像データ信号ＶＤＸをデータドライバ１３に供給する。これにより、データドライバ１３のγ補正データ送出部１３０では、１水平走査期間毎に、画像データ信号ＶＤＸに含まれるγ補正データＰＧ及びＮＧを、γレジスタ２２及び２４に夫々上書きする。階調電圧変換部１３２は、γレジスタ２２及び２４に書き込まれているγ補正データＰＧ及びＮＧに基づく変換特性にて、１水平表示ライン分の表示データＰＤ1〜ＰＤnの各々を、正極性の階調電圧Ｐ1〜Ｐn及び負極性の階調電圧Ｎ1〜Ｎnに変換する。表示装置１００の駆動制御部１１及びデータドライバ１３は、かかる一連の処理を繰り返し実行する。
【００５６】
よって、階調電圧変換部１３２において正極性（負極性）の階調電圧Ｐ1〜Ｐn（Ｎ1〜Ｎn）を生成する為には、図５に示すように、アンプ（ＡＭＰ１、ＡＭＰ２、ＡＰ０〜ＡＰ６）、ラダー抵抗（ＲＤ０〜ＲＤ１６０、Ｒ０〜Ｒ２５４）及びγ特性調整回路（ＳＸ）を含む基準階調電圧生成回路３２（３３）が１系統分だけあれば良い。
【００５７】
従って、図３〜図５に示される構成によれば、赤色、緑色、青色成分毎に専用の階調電圧生成回路（つまり３系統分の階調電圧生成回路）を設けている特許文献１のドライバに比べて、回路面積を小さくすることが可能となる。
【００５８】
尚、上記実施例では、赤色成分に対するγ補正データをＰＧR及びＮＧR、緑色成分に対するγ補正データをＰＧG及びＮＧG、青色成分に対するγ補正データをＰＧB及びＮＧBとしている。ここで、駆動制御部１１は、これらＰＧR、ＮＧR、ＰＧG、ＮＧG、ＰＧB及びＮＧB各々によって表される内容自体を水平表示ライン毎に変更するようにしても良い。これにより、１水平表示ライン（１水平走査期間）毎にγ特性の設定を変更することが可能となる。
【００５９】
また、図２に示す一例では、画像データ信号ＶＤＸにおける１水平走査期間Ｈ毎に、１水平表示ライン分の表示データ系列ＬＤの直前に、赤、緑及び青色のうちの１つの色に対応したγ補正データＰＧ及びＮＧを配列しているが、必ずしも全ての水平走査期間Ｈ内にγ補正データＰＧ及びＮＧを配列する必要はない。
【００６０】
また、画像データ信号ＶＤＸにおける各水平走査期間Ｈ内にγ補正データＰＧ及びＮＧを配列する為の空き時間が存在しない場合には、１垂直走査期間の先頭部のみに全てのγ補正データを配列するようにしても良い。
【００６１】
図６は、かかる点に鑑みて為された画像データ信号ＶＤＸのフォーマットの他の一例を示す図である。つまり、駆動制御部１１は、図６に示すように、各水平走査期間Ｈに１水平表示ラインに対応した表示データ系列ＬＤが配列されていると共に、１垂直走査期間Ｖの先頭部のみに、全てのγ補正データＰＧR、ＰＧG、ＰＧB、ＮＧR、ＮＧG及びＮＧBを配列した画像データ信号ＶＤＸを、データドライバ１３に供給する。この際、データドライバ１３のγ補正データ送出部１３０としては、図４に示す構成に代えて図７に示す構成を採用する。
【００６２】
図７において、γ補正データ抽出回路４１は、画像データ信号ＶＤＸにおける１垂直走査期間Ｖ毎に、その先頭部に配列されている正極用のγ補正データＰＧR、ＰＧG及びＰＧBを抽出する。そして、γ補正データ抽出回路４１は、抽出したγ補正データＰＧRをγレジスタ４２に供給し、抽出したγ補正データＰＧGをγレジスタ４３に供給し、抽出したγ補正データＰＧBをγレジスタ４４に供給する。γレジスタ４２は、γ補正データ抽出回路４１から供給されたγ補正データＰＧRを取り込み、これを図６に示すように１垂直走査期間Ｖに亘り保持しつつセレクタ４５に供給する。γレジスタ４３は、γ補正データ抽出回路４１から供給されたγ補正データＰＧGを取り込み、これを図６に示すように１垂直走査期間Ｖに亘り保持しつつセレクタ４５に供給する。γレジスタ４４は、γ補正データ抽出回路４１から供給されたγ補正データＰＧBを取り込み、これを図６に示すように１垂直走査期間Ｖに亘り保持しつつセレクタ４５に供給する。セレクタ４５は、３つのγ補正データＰＧR、ＰＧG及びＰＧBを、１水平走査期間Ｈ毎に１つずつ順に選択し、これを図６に示すようにγ補正データＳＰとして、基準階調電圧生成回路３２のγ特性調整回路ＳＸに供給する。
【００６３】
γ補正データ抽出回路５１は、画像データ信号ＶＤＸにおける１垂直走査期間Ｖ毎に、その先頭部に配列されている負極用のγ補正データＮＧR、ＮＧG及びＮＧBを抽出する。そして、γ補正データ抽出回路５１は、抽出したγ補正データＮＧRをγレジスタ５２に供給し、抽出したγ補正データＮＧGをγレジスタ５３に供給し、抽出したγ補正データＮＧBをγレジスタ５５に供給する。γレジスタ５２は、γ補正データ抽出回路５１から供給されたγ補正データＮＧRを取り込み、これを図６に示すように１垂直走査期間Ｖに亘り保持しつつセレクタ５５に供給する。γレジスタ５３は、γ補正データ抽出回路５１から供給されたγ補正データＮＧGを取り込み、これを図６に示すように１垂直走査期間Ｖに亘り保持しつつセレクタ５５に供給する。γレジスタ５４は、γ補正データ抽出回路５１から供給されたγ補正データＮＧBを取り込み、これを図６に示すように１垂直走査期間Ｖに亘り保持しつつセレクタ５５に供給する。セレクタ５５は、３つのγ補正データＮＧR、ＮＧG及びＮＧBを、１水平走査期間Ｈ毎に１つずつ順に選択し、これを図６に示すようにγ補正データＳＮとして、基準階調電圧生成回路３３のγ特性調整回路ＳＸに供給する。
【００６４】
よって、γ補正データ送出部１３０として図７に示す構成を採用した場合には、正極性（負極性）の階調電圧Ｐ1〜Ｐn（Ｎ1〜Ｎn）を生成する為に、赤色、緑色及び青色の色毎に、セレクタＳ４５（５５）と、専用のγレジスタ、つまり３系統分のγレジスタ４２〜４４（５２〜５４）と、が必要になる。
【００６５】
しかしながら、基準階調電圧生成回路３２（３３）については極性毎に１系統分だけ設ければ良いので、赤色、緑色及び青色の３色に対応した３系統分の独立した回路が必要となる特許文献１のドライバに比べて、回路面積を小さくすることが可能となる。
【００６６】
また、上記実施例では、基準階調電圧生成回路３２（３３）内に、入力アンプＡＭＰ１及びＡＭＰ２と、第１のラダー抵抗（ＲＤ０〜ＲＤ１６０）とを設け、この第１のラダー抵抗の各出力タップ（ａ１〜ａ１６０）を介して互いに異なる電圧値を有する複数の電圧をγ特性調整回路ＳＸに供給するようにしている。しかしながら、第１のラダー抵抗、入力アンプＡＭＰ１及びＡＭＰ２からなる回路を排除し、当該回路の複数の出力タップの各々から出力される電圧に相当する電圧群を、外部から直接、γ特性調整回路ＳＸに供給するようにしても良い。
【００６７】
また、上記実施例では、γ補正データ片（ＰＧR、ＰＧG、ＰＧB、ＮＧR、ＮＧG、ＮＧB）を画像データ信号ＶＤＸに含ませてデータドライバ１３に供給するようにしているが、γ補正データに関しては、これを画像データ信号ＶＤＸに含ませず、直接、外部からデータドライバ１３に供給するようにしても良い。これにより、画像データ信号ＶＤＸ中の１水平走査期間Ｈ内にγ補正データを配列する為の空き時間が足りない場合でも、１水平走査期間Ｈ毎のγ補正データの書き換えが可能となる。
【００６８】
また、上記実施例では、表示デバイス２０が液晶表示パネルである場合を例にとって駆動制御部１１及びデータドライバ１３の構成及び動作を説明したが、表示デバイス２０は、例えば有機ＥＬ（Electroluminescence）パネルであっても良い。この際、駆動制御部１１は、γ補正データとして、正極性のγ補正データ（ＰＧR、ＰＧG及びＰＧB）だけを含む画像データ信号ＶＤＸをデータドライバ１３に供給する。更に、γ補正データ送出部１３０に含まれているγ補正データ抽出回路２３及びγレジスタ２４が不要となり、且つ階調電圧変換部１３２に含まれている基準階調電圧生成回路３３及びＤＡ変換回路３５が不要となる。
【００６９】
要するに、駆動制御部１１及びデータドライバ１３を含む表示ドライバとしては、以下のガンマ補正データ送出部（１３０）と、階調電圧変換部（３２、３４）とを設けたものであれば良いのである。すなわち、ガンマ補正データ送出部は、複数のガンマ補正データ片（ＰＧR、ＰＧG、ＰＧB）を所定期間（Ｈ）毎に１つずつ送出する。また、階調電圧変換部は、当該ガンマ補正データ送出部から送出されたガンマ補正データ片に基づくガンマ特性で、映像信号にて示される輝度レベル（Ｑ1〜Ｑn）を階調電圧（Ｐ1〜Ｐn）に変換する。尚、ガンマ補正データ送出部としては、以下の制御部（１１）、ガンマ補正データ抽出部（２１、４１）、及びガンマレジスタ（２２）を含むものであれば良い。すなわち、制御部は、映像信号（ＶＤ）にて示される表示セル（ＣR、ＣG、ＣB）毎の輝度レベルを表す表示データ片（ＰＤ1〜ＰＤn）の系列が水平走査期間毎に区分けして配列されていると共に、複数のガンマ補正データ片（ＰＧR、ＰＧG、ＰＧ）が１つずつ水平走査期間毎に配列されている画像データ信号（ＶＤＸ）を生成する。ガンマ補正データ抽出部は、かかる画像データ信号中から水平走査期間毎にガンマ補正データ片を順に抽出する。ガンマレジスタは、当該ガンマ補正データ抽出部で抽出されたガンマ補正データ片を保持しつつ階調電圧変換部に送出する。また、ガンマ補正データ送出部としては、以下の制御部（１１）、ガンマ補正データ抽出部（４１）、複数のガンマレジスタ（４２〜４４）及びセレクタ（４５）を含むものであれば良い。すなわち、制御部は、映像信号（ＶＤ）にて示される表示セル（ＣR、ＣG、ＣB）毎の輝度レベルを表す表示データ片（ＰＤ1〜ＰＤn）の系列が水平走査期間毎に区分けして配列されていると共に、複数のガンマ補正データ片（ＰＧR、ＰＧG、ＰＧ）が各垂直走査期間（Ｖ）の先頭部に配列されている画像データ信号（ＶＤＸ）を生成する。ガンマ補正データ抽出部は、画像データ信号中から垂直走査期間毎に複数のガンマ補正データ片を抽出する。すると、複数のガンマレジスタが、当該ガンマ補正データ抽出部で抽出された複数のガンマ補正データ片を夫々個別に保持する。そして、セレクタが、これらガンマレジスタの各々に保持されているガンマ補正データ片を水平走査期間毎に１つずつ順に選択し、選択したガンマ補正データ片を階調電圧変換部に送出するのである。
【００７０】
尚、上記実施例では、表示デバイスとして、図１に示すように、水平表示ラインＳ1〜Ｓmの各々に、同一の表示色（赤、青又は緑）を担うｎ個の表示セルＣが形成されている表示デバイス２０を駆動対象としている。しかしながら、当該表示デバイス２０に代えて、水平表示ラインＳ1〜Ｓmの各々に、表示色（赤、青又は緑）が互いに異なる３系統の表示セルが隣接して周期的に配置された、いわゆる通常の表示デバイスを駆動対象としても良い。
【００７１】
図８は、かかる点に鑑みて為された表示装置１００の他の構成を示すブロック図である。尚、図８に示す構成では、表示装置１００は、半導体ＩＣチップに形成されている
駆動制御部１１Ａ、走査ドライバ１２Ａ及びデータドライバ１３Ａと、表示デバイス２０Ａとを含む。
【００７２】
表示デバイス２０Ａは、図１に示す表示デバイス２０と同様に、２次元画面の水平方向に伸張するｍ個（ｍは２以上の整数）の水平表示ラインＳ1〜Ｓmと、２次元画面の垂直方向に伸張するｎ個（ｎは２以上の整数）のデータラインＤ1〜Ｄnとを含む。表示デバイス２０Ａにおいて、水平表示ライン及びデータラインの各交叉部に赤色表示を行う表示セルＣR、緑色表示を行う表示セルＣG、又は青色表示を行う表示セルＣBが形成されている。ただし、表示デバイス２０Ａでは、通常の液晶表示パネルと同様に、各水平表示ラインに、例えば表示セルＣR、ＣG、及びＣBの順に各表示セルが隣接して周期的に配置されている。よって、データラインＤ(3k-2)（ｋは１以上の整数）には、水平表示ラインＳ1〜Ｓmに夫々対応したｍ個の表示セルＣRが形成されており、データラインＤ(3k-1)には水平表示ラインＳ1〜Ｓmに夫々対応したｍ個の表示セルＣGが形成されており、データラインＤ(3k)には水平表示ラインＳ1〜Ｓmに夫々対応したｍ個の表示セルＣBが形成されている。
【００７３】
駆動制御部１１Ａは、映像信号ＶＤに基づき図９に示すフォーマットを有する画像データ信号ＶＤＸを生成する。
【００７４】
すなわち、駆動制御部１１Ａは、先ず、映像信号ＶＤに基づき各表示セル（ＣR、ＣG、ＣB）の輝度レベルを例えば８ビットの２５６段階の輝度階調で表す表示データＰＤを得る。ここで、駆動制御部１１Ａは、映像信号ＶＤの１フレーム毎に、そのフレームに対応した（ｎ×ｍ）個の表示データＰＤを、データラインＤ1〜Ｄnに夫々対応したもの同士にて第１〜第ｎの表示データ群ＰＸ１〜ＰＸｎに群分けする。つまり、表示データ群ＰＸ１〜ＰＸｎの各々は、その表示データ群ＰＸに対応したデータラインＤと水平表示ラインＳ1〜Ｓmの各々との交叉部に形成されているｍ個の表示セルＣに夫々対応した表示データＰＤ1〜ＰＤmの系列からなる。例えば、表示データ群ＰＸ１は、データラインＤ1と水平表示ラインＳ1〜Ｓmとの交叉部に形成されているｍ個の表示セルＣRに夫々対応した表示データＰＤ1〜ＰＤmの系列からなる。また、表示データ群ＰＸ２は、データラインＤ2と水平表示ラインＳ1〜Ｓmとの交叉部に形成されているｍ個の表示セルＣGに夫々対応した表示データＰＤ1〜ＰＤmの系列からなる。
【００７５】
そして、駆動制御部１１Ａは、図９に示すように、第１〜第ｎの表示データ群ＰＸ１〜ＰＸｎの各々を順に各データ走査期間Ｔｖにて配列した画像データ信号ＶＤＸを生成する。尚、データ走査期間Ｔｖは、例えば画像データ信号ＶＤＸにおける１垂直走査期間をデータラインＤ1〜Ｄnの総数ｎで分割した期間長を有する。更に、駆動制御部１１Ａは、当該データ走査期間Ｔｖ毎に、各表示データ群に基づく表示を行う際に用いるγ補正データを画像データ信号ＶＤＸに配列する。
【００７６】
ここで、第１〜第ｎの表示データ群ＰＸ１〜ＰＸｎのうちの表示データ群ＰＸ(3k-2)に属する表示データＰＤ1〜ＰＤmは、全て赤色表示を担う表示データである。更に、表示データ群ＰＸ(3k-1)に属する表示データＰＤ1〜ＰＤmは全て緑色表示を担う表示データであり、表示データ群ＰＸ(3k)に属する表示データＰＤ1〜ＰＤmは全て青色表示を担う表示データである。よって、駆動制御部１１Ａは、表示データ群ＰＸ(3k-2)が配列されているデータ走査期間Ｔｖ内には、夫々が赤色成分に対するγ補正値を表す正極用のγ補正データＰＧR及び負極用のγ補正データＮＧRを配列する。また、表示データ群ＰＸ(3k-1)が配列されているデータ走査期間Ｔｖ内には、駆動制御部１１Ａは、夫々が緑色成分に対するγ補正値を表す正極用のγ補正データＰＧG及び負極用のγ補正データＮＧGを配列する。更に、駆動制御部１１Ａは、表示データ群ＰＸ(3k)が配列されているデータ走査期間Ｔｖ内には、夫々が青色成分に対するγ補正値を表す正極用のγ補正データＰＧB及び負極用のγ補正データＮＧBを配列する。
【００７７】
尚、γ補正データ（ＰＧR、ＮＧR、ＰＧG、ＮＧG、ＰＧB、ＮＧB）は、具体的には、
図５に示すラダー抵抗における各出力タップのうちから、そのγ補正値に対応した変換が為される複数（例えば５つ）の出力タップを指定する情報を表す。
【００７８】
駆動制御部１１Ａは、上記のように生成した画像データ信号ＶＤＸをデータドライバ１３Ａに供給すると共に、映像信号ＶＤにおける垂直同期信号に同期させてデータ走査タイミング信号を走査ドライバ１２Ａに供給する。
【００７９】
走査ドライバ１２Ａは、データ走査タイミング信号に応じて、図１０に示すように、
データ走査期間Ｔｖの周期にて、電圧Ｖｐを有する走査パルスＤＳＰを、表示デバイス２０ＡのデータラインＤ1〜Ｄnの各々に順次択一的に供給する。
【００８０】
データドライバ１３Ａは、データ走査期間Ｔｖ毎に、画像データ信号ＶＤＸに含まれるｍ個の表示データＰＤ1〜ＰＤmを、夫々が表す輝度レベルに対応した階調電圧Ｇ1〜Ｇmに変換し、走査パルスＤＳＰに同期したタイミングで表示デバイス２０Ａの水平表示ラインＳ1〜Ｓmに供給する。
【００８１】
図１１は、データドライバ１３Ａの内部構成を示すブロック図である。図１１に示すように、データドライバ１３Ａは、図３に示すγ補正データ送出部１３０、データ取込部１３１、階調電圧変換部１３２及び出力部１３３に代えて、γ補正データ送出部１３０Ａ、データ取込部１３１Ａ、階調電圧変換部１３２Ａ及び出力部１３３Ａを採用したものである。
【００８２】
γ補正データ送出部１３０Ａは、画像データ信号ＶＤＸ中から正極用のγ補正データＰＧR、ＰＧG又はＰＧBを抽出し、抽出した正極用のγ補正データをγ補正データＳＰとして階調電圧変換部１３２Ａに供給する。また、γ補正データ送出部１３０Ａは、画像データ信号ＶＤＸ中から負極用のγ補正データＮＧR、ＮＧG又はＮＧBを抽出し、抽出した負極用のγ補正データをγ補正データＳＮとして階調電圧変換部１３２Ａに供給する。
【００８３】
データ取込部１３１Ａは、図９に示すデータ走査期間Ｔｖ毎に、画像データ信号ＶＤＸ中から、表示データ群ＰＸに属する表示データＰＤ1〜ＰＤmを取り込み、これらｍ個の表示データＰＤ1〜ＰＤmを表示データＱ1〜Ｑmとして階調電圧変換部１３２Ａに供給する。
【００８４】
階調電圧変換部１３２Ａは、データ走査期間Ｔｖ毎に、画像データ信号ＶＤＸに含まれる正極用のγ補正データ（ＰＧR、ＰＧG、ＰＧB）に従った変換特性にて、表示データＱ1〜Ｑmの各々をアナログの正極性の階調電圧Ｐ1〜Ｐmに変換する。更に、階調電圧変換部１３２Ａは、データ走査期間Ｔｖ毎に、画像データ信号ＶＤＸに含まれる負極用のγ補正データ（ＮＧR、ＮＧG、ＮＧB）に従った変換特性にて、表示データＱ1〜Ｑmの各々をアナログの負極性の階調電圧Ｎ1〜Ｎmに変換する。そして、階調電圧変換部１３２Ａは、階調電圧Ｐ1〜Ｐm及びＮ1〜Ｎmを出力部１３３Ａに供給する。
【００８５】
出力部１３３Ａは、正極性の階調電圧Ｐ1〜Ｐmと、負極性の階調電圧Ｎ1〜Ｎmとを所定の周期にて交互に選択し、選択した方を上記した階調電圧Ｇ1〜Ｇmとして表示デバイス２０Ａの水平表示ラインＳ1〜Ｓmに供給する。
【００８６】
図１２は、γ補正データ送出部１３０Ａ及び階調電圧変換部１３２Ａ各々の内部構成の一例を示すブロック図である。図１２に示すように、γ補正データ送出部１３０は、γ補正データ抽出回路２１Ａ、γレジスタ２２、γ補正データ抽出回路２３Ａ、及びγレジスタ２４を含む。
【００８７】
γ補正データ抽出回路２１Ａは、図９に示すデータ走査期間Ｔｖ毎に、画像データ信号ＶＤＸ中から正極用のγ補正データＰＧR、ＰＧG又はＰＧBを抽出し、抽出したγ補正データＰＧR、ＰＧG又はＰＧBをγレジスタ２２に供給する。γレジスタ２２は、γ補正データ抽出回路２１Ａから供給されたγ補正データＰＧR、ＰＧG又はＰＧBを上書きしてこれを保持する。γレジスタ２２は、γ補正データＰＧR、ＰＧG及びＰＧBのうちで、上記のように保持した１のγ補正データを正極用のγ補正データＳＰとして、データ走査期間Ｔｖに亘り階調電圧変換部１３２Ａに送出する。
【００８８】
γ補正データ抽出回路２３Ａは、図９に示すデータ走査期間Ｔｖ毎に、画像データ信号ＶＤＸ中から負極用のγ補正データＮＧR、ＮＧG又はＮＧBを抽出し、抽出したγ補正データＮＧR、ＮＧG又はＮＧBをγレジスタ２４に供給する。γレジスタ２４は、γ補正データ抽出回路２３Ａから供給されたγ補正データＮＧR、ＮＧG又はＮＧBを上書きしてこれを保持する。γレジスタ２４は、γ補正データＮＧR、ＮＧG及びＮＧBのうちで、上記のように保持した１のγ補正データを負極用のγ補正データＳＮとして、データ走査期間Ｔｖに亘り階調電圧変換部１３２Ａに供給する。
【００８９】
階調電圧変換部１３２Ａは、基準階調電圧生成回路３２及び３３、ＤＡ変換回路３４Ａ及び３５Ａを含む。
【００９０】
基準階調電圧生成回路３２は、γ補正データ送出部１３０Ａから供給されたγ補正データＳＰに基づくγ特性を有する基準階調電圧Ｙ１〜Ｙ２５６を生成し、これらをＤＡ変換回路３４Ａに供給する。基準階調電圧生成回路３３は、γ補正データ送出部１３０Ａから供給されたγ補正データＳＮに基づくγ特性を有する基準階調電圧Ｘ１〜Ｘ２５６を生成し、これらをＤＡ変換回路３５Ａに供給する。
【００９１】
尚、基準階調電圧生成回路３２及び３４各々の内部構成及び動作は、図４に示すものと同一であるので、その説明は省略する。
【００９２】
ＤＡ変換回路３４Ａは、データ取込部１３１Ａから供給された表示データＱ1〜Ｑmの各々毎に、その表示データＱにて示される輝度階調に対応した基準階調電圧を、正極性の基準階調電圧Ｙ１〜Ｙ２５６のうちから選択する。そして、ＤＡ変換回路３４Ａは、表示データＱ1〜Ｑmの各々に対して上記のように選択した階調電圧Ｙの各々を、正極性の階調電圧Ｐ1〜Ｐmとして出力する。ＤＡ変換回路３５Ａは、データ取込部１３１Ａから供給された表示データＱ1〜Ｑmの各々毎に、その表示データＱにて示される輝度階調に対応した基準階調電圧を、負極性の基準階調電圧Ｘ１〜Ｘ２５６のうちから選択する。そして、ＤＡ変換回路３５Ａは、表示データＱ1〜Ｑmの各々に対して上記のように選択した階調電圧Ｘの各々を、負極性の階調電圧Ｎ1〜Ｎmとして出力する。
【００９３】
以下に、図１２に示される構成による動作について、図９を参照しつつ説明する。
【００９４】
先ず、図９に示す画像データ信号ＶＤＸ中の表示データ群ＰＸ１が配列されているデータ走査区間ＤＳ１において、γ補正データ送出部１３０Ａのγ補正データ抽出回路２１Ａは、その先頭部に配列されている正極用のγ補正データＰＧRを当該画像データ信号ＶＤＸから抽出し、これをγレジスタ２２に供給する。また、当該データ走査区間ＤＳ１において、γ補正データ送出部１３０Ａのγ補正データ抽出回路２３Ａは、その先頭部に配列されている負極用のγ補正データＮＧRを当該画像データ信号ＶＤＸから抽出し、
これをγレジスタ２４に供給する。これにより、γレジスタ２２は、当該γ補正データＰＧRを保持しつつこれを、図９に示すようにγ補正データＳＰとして基準階調電圧生成回路３２のγ特性調整回路ＳＸに供給する。また、γレジスタ２４は、γ補正データＮＧRを保持しつつこれを、図９に示すようにγ補正データＳＮとして基準階調電圧生成回路３３のγ特性調整回路ＳＸに供給する。
【００９５】
これにより、基準階調電圧生成回路３２は、γ補正データＰＧRに基づくγ特性を有する基準階調電圧Ｙ１〜Ｙ２５６を生成し、これらをＤＡ変換回路３４Ａに供給する。また、基準階調電圧生成回路３３は、γ補正データＮＧRに基づくγ特性を有する基準階調電圧Ｘ１〜Ｘ２５６を生成し、これらをＤＡ変換回路３５Ａに供給する。よって、ＤＡ変換回路３４Ａは、上記した表示データ群ＰＸ１に対応した表示データＱ1〜Ｑmの各々を、γ補正データＰＧRに基づくγ特性を有する基準階調電圧Ｙ１〜Ｙ２５６に基づき、アナログの正極性の階調電圧Ｐ1〜Ｐmに変換する。ＤＡ変換回路３５Ａは、上記した表示データ群ＰＸ１に対応した表示データＱ1〜Ｑmの各々を、γ補正データＮＧRに基づくγ特性を有する基準階調電圧Ｘ１〜Ｘ２５６に基づき、アナログの負極性の階調電圧Ｎ1〜Ｎnに変換する。
【００９６】
次に、図９に示す画像データ信号ＶＤＸ中の表示データ群ＰＸ２が配列されているデータ走査区間ＤＳ２において、γ補正データ抽出回路２１Ａは、その先頭部に配列されている正極用のγ補正データＰＧGを当該画像データ信号ＶＤＸから抽出し、これをγレジスタ２２に供給する。また、当該データ走査区間ＤＳ２において、γ補正データ抽出回路２３Ａは、その先頭部に配列されている負極用のγ補正データＮＧGを当該画像データ信号ＶＤＸから抽出し、これをγレジスタ２４に供給する。これにより、γレジスタ２２は、当該γ補正データＰＧGを上書きして保持しつつこれを、図９に示すようにγ補正データＳＰとして基準階調電圧生成回路３２のγ特性調整回路ＳＸに供給する。また、γレジスタ２４は、γ補正データＮＧGを上書きして保持しつつこれを、図９に示すようにγ補正データＳＮとして基準階調電圧生成回路３３のγ特性調整回路ＳＸに供給する。
【００９７】
これにより、基準階調電圧生成回路３２は、γ補正データＰＧGに基づくγ特性を有する基準階調電圧Ｙ１〜Ｙ２５６を生成し、これらをＤＡ変換回路３４Ａに供給する。また、基準階調電圧生成回路３３は、γ補正データＮＧGに基づくγ特性を有する基準階調電圧Ｘ１〜Ｘ２５６を生成し、これらをＤＡ変換回路３５Ａに供給する。よって、ＤＡ変換回路３４Ａは、上記した表示データ群ＰＸ２に対応した表示データＱ1〜Ｑmの各々を、γ補正データＰＧGに基づくγ特性を有する基準階調電圧Ｙ１〜Ｙ２５６に基づき、アナログの正極性の階調電圧Ｐ1〜Ｐmに変換する。ＤＡ変換回路３５Ａは、上記した表示データ群ＰＸ２に対応した表示データＱ1〜Ｑmの各々を、γ補正データＮＧGに基づくγ特性を有する基準階調電圧Ｘ１〜Ｘ２５６に基づき、アナログの負極性の階調電圧Ｎ1〜Ｎmに変換する。
【００９８】
次に、図９に示す画像データ信号ＶＤＸ中の表示データ群ＰＸ３が配列されているデータ走査区間ＤＳ３において、γ補正データ抽出回路２１Ａは、その先頭部に配列されている正極用のγ補正データＰＧBを当該画像データ信号ＶＤＸから抽出し、これをγレジスタ２２に供給する。また、当該データ走査区間ＤＳ３において、γ補正データ抽出回路２３Ａは、その先頭部に配列されている負極用のγ補正データＮＧBを当該画像データ信号ＶＤＸから抽出し、これをγレジスタ２４に供給する。これにより、γレジスタ２２は、当該γ補正データＰＧBを上書きして保持しつつこれを、図９に示すようにγ補正データＳＰとして基準階調電圧生成回路３２のγ特性調整回路ＳＸに供給する。また、γレジスタ２４は、γ補正データＮＧBを上書きして保持しつつこれを、図９に示すようにγ補正データＳＮとして基準階調電圧生成回路３３のγ特性調整回路ＳＸに供給する。
【００９９】
これにより、基準階調電圧生成回路３２は、γ補正データＰＧBに基づくγ特性を有する基準階調電圧Ｙ１〜Ｙ２５６を生成し、これらをＤＡ変換回路３４Ａに供給する。また、基準階調電圧生成回路３３は、γ補正データＮＧBに基づくγ特性を有する基準階調電圧Ｘ１〜Ｘ２５６を生成し、これらをＤＡ変換回路３５Ａに供給する。よって、ＤＡ変換回路３４Ａは、上記した表示データ群ＰＸ３に対応した表示データＱ1〜Ｑmの各々を、γ補正データＰＧBに基づくγ特性を有する基準階調電圧Ｙ１〜Ｙ２５６に基づき、アナログの正極性の階調電圧Ｐ1〜Ｐmに変換する。また、ＤＡ変換回路３５は、上記した表示データ群ＰＸ３に対応した表示データＱ1〜Ｑmの各々を、γ補正データＮＧBに基づくγ特性を有する基準階調電圧Ｘ１〜Ｘ２５６に基づき、アナログの負極性の階調電圧Ｎ1〜Ｎmに変換する。
【０１００】
上記したように、図８に示す表示装置１００では、駆動制御部１１Ａが、図９に示すようにデータ走査期間Ｔｖ毎に、１つのデータラインＤに対応した表示データＰＤ1〜ＰＤmと、この表示データＰＤ1〜ＰＤmを正極性及び負極性の階調電圧に夫々変換する際に用いるγ補正データＰＧ及びＮＧと、が配列されている画像データ信号ＶＤＸを、データドライバ１３Ａに供給する。これにより、データドライバ１３Ａのγ補正データ送出部１３０Ａでは、データ走査期間Ｔｖ毎に、画像データ信号ＶＤＸに含まれるγ補正データＰＧ及びＮＧをγレジスタ２２及び２４に夫々上書きする。階調電圧変換部１３２Ａは、γレジスタ２２及び２４に書き込まれているγ補正データＰＧ及びＮＧに基づく変換特性にて、１水平表示ライン分の表示データＰＤ1〜ＰＤnの各々を、正極性の階調電圧Ｐ1〜Ｐn及び負極性の階調電圧Ｎ1〜Ｎnに変換する。表示装置１００の駆動制御部１１及びデータドライバ１３Ａは、かかる一連の処理を繰り返し実行する。
【０１０１】
よって、階調電圧変換部１３２Ａにおいて正極性（負極性）の階調電圧Ｐ1〜Ｐn（Ｎ1〜Ｎn）を生成する為には、図５に示すように、アンプ（ＡＭＰ１、ＡＭＰ２、ＡＰ０〜ＡＰ６）、ラダー抵抗（ＲＤ０〜ＲＤ１６０、Ｒ０〜Ｒ２５４）及びγ特性調整回路（ＳＸ）を含む基準階調電圧生成回路３２（３３）が１系統分だけあれば良い。
【０１０２】
このように、図８に示す構成では、データドライバ１３Ａが表示デバイス２０Ａの水平表示ラインＳ1〜Ｓmに階調電圧Ｇ1〜Ｇmを供給し、走査ドライバ１２ＡがデータラインＤ1〜Ｄnに順次、走査パルスＤＳＰを供給するという駆動方法を採用している。これにより、各水平表示ラインに、表示色（赤、青又は緑）が互いに異なる３系統の表示セルが隣接して周期的に配置された、いわゆる通常の表示デバイスを駆動対象とした場合にも、各色（赤、青又は緑）で共通の基準階調電圧生成回路３２（３３）が１系統分だけあれば良いので、従来のドライバに比べて回路面積を小さくすることが可能となる。
【０１０３】
更に、図８に示す構成では、表示デバイス２０Ａとして、上記したような通常の表示デバイスを用いているので、図１に示すような各水平表示ラインに同一色の表示セル（ＣR、ＣG又はＣB）が配置された表示デバイス２０を駆動対象とした場合に実施困難となる、ＣＬＥＡＲＴＹＰＥ（登録商標）方式による文字表示が可能となる。尚、ＣＬＥＡＲＴＹＰＥ（登録商標）とは、マイクロソフト社（Ｍｉｃｒｏｓｏｆｔ  Ｃｏｒｐｏｒａｔｉｏｎ）が提唱する、書体データとしてのフォントを表示する際のアンチエイリアシング技術の一つである。このＣＬＥＡＲＴＹＰＥ（登録商標）方式では、例えば文字の斜線部の輪郭を、互いに隣接する３つの表示セル（ＣR、ＣG、ＣB）からなる画素の単位で表現するのではなく、表示セルの単位で表す。
【符号の説明】
【０１０４】
１１、１１Ａ                          駆動制御部
１２、１２Ａ                          走査ドライバ
１３、１３Ａ                          データドライバ
２０、２０Ａ                          表示デバイス
２１、２３、４１、５１                γ補正データ抽出回路
２２、２４、４２〜４４、５２〜５４    γレジスタ
３２、３３                            基準階調電圧生成回路
３４、３５                            ＤＡ変換回路
４５、５５                            セレクタ
１３０                                γ補正データ送出部
１３２                                階調電圧変換部
【図１】
2017223928.tif 000003
【図２】
2017223928.tif 000004
【図３】
2017223928.tif 000005
【図４】
2017223928.tif 000006
【図５】
2017223928.tif 000007
【図６】
2017223928.tif 000008
【図７】
2017223928.tif 000009
【図８】
2017223928.tif 000010
【図９】
2017223928.tif 000011
【図１０】
2017223928.tif 000012
【図１１】
2017223928.tif 000013
【図１２】
2017223928.tif 000014